(57)【要約】【課題】表示先を切り替える際のユーザの操作性を向上させること。【解決手段】電子機器は、第一の表示部への表示がされており、さらに第一の表示部の表示面のタッチパネルへのタッチ操作に応じて対応する処理が実行される第１の状態において、第一の表示部から第二の表示部へと表示先を切り替える指示を受付手段が受け付けると、タッチパネルをオンにしたまま、第一の表示部から第二の表示部へと表示先を切り替える処理を開始し、切り替える処理の開始後にタッチパネルをオフにするように制御する。【選択図】図３
2019054368.tif 000002
【特許請求の範囲】
【請求項１】
表示面へのタッチ操作を受け付け可能なタッチパネルを有する第一の表示部から、前記第一の表示部とは異なる第二の表示部へ表示先を切り替える指示を受け付ける受付手段と、
前記第一の表示部の表示面のタッチパネルのオンとオフとを切り替える切り替え手段と、
前記第一の表示部への表示がされており、さらに前記第一の表示部の表示面のタッチパネルへのタッチ操作に応じて対応する処理が実行される第１の状態において、前記第一の表示部から前記第二の表示部へと表示先を切り替える指示を前記受付手段が受け付けると、前記タッチパネルをオンにしたまま、前記第一の表示部から前記第二の表示部へと表示先を切り替える処理を開始し、前記切り替える処理の開始後に前記タッチパネルをオフにするように前記切り替え手段を制御する制御手段とを有することを特徴とする電子機器。
【請求項２】
前記第二の表示部に表示がされている際に、前記タッチパネルへのタッチ操作に応じて所定の処理が実行される所定の設定を設定可能な設定手段をさらに有し、
前記制御手段は、前記所定の設定が設定されている場合には、前記タッチパネルをオフにする制御を行わないように制御することを特徴とする請求項１に記載の電子機器。
【請求項３】
前記受付手段は、前記第１の状態において、前記第一の表示部から前記第二の表示部へと表示先を切り替える指示を受け付けると、
前記制御手段は、前記第一の表示部に表示されていた項目を非表示にした後、前記第二の表示部へと前記項目を表示するように制御することを特徴とする請求項１又は２に記載の電子機器。
【請求項４】
前記受付手段は、前記第１の状態において、前記第一の表示部から前記第二の表示部へと表示先を切り替える指示を受け付けると、
前記制御手段は、前記第一の表示部に黒色の表示をするように制御することを特徴とする請求項１又は２に記載の電子機器。
【請求項５】
前記制御手段は、前記タッチパネルがオンである場合には、前記タッチパネルへのタッチ操作に応じてタッチを操作に応じた処理を実行し、前記タッチパネルをオフに切り替える場合には、前記タッチパネルへタッチ操作がされてもタッチ操作に応じた処理を実行しないように制御することを特徴とする請求項１〜４のいずれか１項に記載の電子機器。
【請求項６】
前記受付手段は、前記第１の状態において、前記第一の表示部から前記第二の表示部へと表示先を切り替える指示を受け付けた場合、
前記制御手段は、前記第一の表示部から前記第二の表示部へと表示が切り替わった後、前記第一の表示部の電源がオフになるように制御することを特徴とする請求項１〜５のいずれか１項に記載の電子機器。
【請求項７】
前記第二の表示部は、撮影された画像をファインダに表示するファインダ内表示部であることを特徴とする請求項１〜６のいずれか１項に記載の電子機器。
【請求項８】
前記所定の処理は、前記タッチパネルへの操作に応じて前記第二の表示部に表示されるアイテムを選択、または移動する処理であることを特徴とする請求項２に記載の電子機器。
【請求項９】
撮像手段をさらに有することを特徴とする請求項１〜８のいずれか１項に記載の電子機器。
【請求項１０】
タッチ操作を受け付け可能なタッチパネルを有する第一の表示部から第二の表示部へと表示を切替える指示を受け付ける受付手段と、
前記第一の表示部に所定のアイテムが表示される第一の状態から表示されない第二の状態にする変更手段と、
前記第二の表示部への表示中に前記第一の表示部へのタッチ操作に応じた処理を受け付ける所定の操作モードに設定する設定手段と、
前記第一の表示部のタッチパネルが、タッチ操作を受け付け可能な状態であり、前記第一の状態である際に、前記第一の表示部から前記第二の表示部へと切り替える指示がされると、
前記所定の操作モードの場合でも、前記所定の操作モードでない場合にも、前記タッチパネルへのタッチ操作を受け付け可能な状態をオフとせずに、前記第二の状態にしてから前記第二の表示部へと表示を切替えるように制御する制御手段とを有することを特徴とする電子機器。
【請求項１１】
表示面へのタッチ操作を受け付け可能なタッチパネルを有する第一の表示部への表示がされており、さらに前記第一の表示部の表示面のタッチパネルへのタッチ操作に応じて対応する処理が実行される第１の状態において、前記第一の表示部から該第一の表示部とは異なる第二の表示部へと表示先を切り替える指示を受け付けるステップと、
前記タッチパネルをオンにしたまま、前記第一の表示部から前記第二の表示部へと表示先を切り替える処理を開始し、前記切り替える処理の開始後に前記タッチパネルをオフにするように制御するステップと、を有することを特徴とする電子機器の制御方法。
【請求項１２】
第一の表示部のタッチパネルが、タッチ操作を受け付け可能な状態であり、前記第一の表示部に所定のアイテムが表示される第一の状態である際に、前記第一の表示部から第二の表示部へと切り替える指示を受け付けるステップと、
前記指示を受け付けると、前記第二の表示部の表示中に前記第一の表示部へのタッチ操作に応じた処理を受け付ける所定の操作モードの場合でも、該所定の操作モードでない場合にも、前記タッチパネルへのタッチ操作を受け付け可能な状態をオフとせずに、前記第一の表示部に所定のアイテムが表示されない第二の状態にしてから前記第二の表示部へと表示を切替えるように制御するステップと、を有することを特徴とする電子機器の制御方法。
【請求項１３】
コンピュータを、請求項１〜１０のいずれか１項に記載された電子機器の各手段として機能させるためのプログラム。
【請求項１４】
コンピュータを、請求項１〜１０のいずれか１項に記載された電子機器の各手段として機能させるためのプログラムを格納したコンピュータが読み取り可能な記憶媒体。
【発明の詳細な説明】
【技術分野】
【０００１】
本発明は、表示先を切り替える際の技術に関する。
【背景技術】
【０００２】
デジタルカメラなどの撮像装置において撮像装置の背面に配置された液晶画面とは別に、電子ビューファインダを備える撮像装置が普及している。特許文献１には、電子ビューファインダと、タッチ操作が可能な背面モニタとを有し、ユーザの指定に応じて撮影画像の表示先をどちらかに切り替える撮像装置が記載されている。さらに、表示面へのタッチ操作を検出可能な装置において、表示のオフとタッチ検出とが連動するものがある。特許文献２では、背面モニタの電源やバックライトがオフになると、タッチパネルへの入力を無効化することが記載されている。
【先行技術文献】
【特許文献】
【０００３】
【特許文献１】特開２０１２−２０３１４３号公報
【特許文献２】特開２０１０−０４４５６７号公報
【発明の概要】
【発明が解決しようとする課題】
【０００４】
特許文献１では、電子ビューファインダの表示中にも背面モニタへのタッチ操作が可能となるため、ユーザがタッチ操作をしようとしていない場合でも、電子ビューファインダを覗いているときに意図せずタッチし、処理が実行されてしまう可能性がある。特許文献２の方法では、表示のオフと共にタッチパネル入力を無効にするが、表示のオフのための処理とタッチパネルの無効化のための処理とを行うと、時間を要してしまう可能性がある。
本発明は、上記の問題点に鑑み、表示先を切り替える際のユーザの操作性を向上可能な電子機器を提供することを目的とする。
【課題を解決するための手段】
【０００５】
本発明の第一態様は、タッチ操作を受け付ける機能を有するタッチ検出手段を備えた第一の表示手段、又は第二の表示手段のいずれかに画像の表示先を切り替える指示を受け付ける受付手段と、前記第一の表示手段の表示状態を、前記画像が表示される第一の状態から前記画像を表示させない第二の状態に変更する変更手段と、前記第一の表示手段の表示状態が前記第二の状態であり、前記タッチ検出手段がタッチ操作を受付可能な状態である所定の操作モード、への移行が有効な設定となっている場合に、前記第一の表示手段から前記第二の表示手段に画像の表示先を切り替える指示を前記受付手段が受け付けた場合は、前記所定の操作モードに移行し、前記第二の表示手段に画像の表示先を切り替え、前記所定の操作モードへの移行が無効な設定となっている場合に、前記第一の表示手段から前記第二の表示手段に画像の表示先を切り替える指示を前記受付手段が受け付けた場合は、前記変更手段により前記第一の表示手段の表示状態を前記第二の状態とし、前記タッチ検出手段がタッチ操作を受け付けない状態とし、前記第二の表示手段に画像の表示先を切り替える、モード移行手段と、を有することを特徴とする電子機器を提供する。
【発明の効果】
【０００６】
本発明によれば、表示先を切り替える際のユーザの操作性を向上させることができる。
【図面の簡単な説明】
【０００７】
【図１】デジタルカメラの構成例を示すブロック図である。
【図２】デジタルカメラの外観図である。
【図３】画像の表示先の切替処理の流れの例を示す図である。
【図４】ＬＣＤを黒自走モードに切り替える処理の流れの例を示す図である。
【図５】ＬＣＤをオフ状態に切り替える処理の流れの例を示す図である。
【図６】本実施例及び従来例における表示の様子を示す図である。
【発明を実施するための形態】
【０００８】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【０００９】
＜実施例１＞
（デジタルカメラの構成例）
図１は、デジタルカメラ１００（電子機器、撮像装置）の構成例を示すブロック図である。また、図２はデジタルカメラ１００の外観図である。
図１において、撮影レンズ１０４は、ズームレンズ、フォーカスレンズを含むレンズ群である。ここでは簡略して一枚のレンズのみで示している。シャッター１０５は、絞り機能を備えるシャッターである。撮像部１０６は、光学像を電気信号に変換するＣＣＤやＣＭＯＳ素子等で構成される撮像素子である。Ａ／Ｄ変換器１０７は、撮像部１０６から出力されるアナログ信号をデジタル信号に変換する。
バリア１０３は、デジタルカメラ１００の撮影レンズ１０４を含む撮像系を覆うことにより、撮影レンズ１０４、シャッター１０５、撮像部１０６を含む撮像系の汚れや破損を防止する。
【００１０】
画像処理部１０２は、Ａ／Ｄ変換器１０７からのデータ、または、メモリ制御部１０８からのデータに対し所定の画素補間、縮小といったリサイズ処理や色変換処理を行う。また、画像処理部１０２は、撮像した画像データを用いて所定の演算処理を行い、演算処理の結果に基づいてシステム制御部１０１により露光制御、測距制御が行われる。これにより、ＴＴＬ（スルー・ザ・レンズ）方式のＡＦ（オートフォーカス）処理、ＡＥ（自動露出）処理、ＥＦ（フラッシュプリ発光）処理、ＡＷＢ（オートホワイトバランス）処理が行われる。
Ａ／Ｄ変換器１０７からの出力データは、画像処理部１０２及びメモリ制御部１０８を介して、又はメモリ制御部１０８のみを介してメモリ１０９に直接書き込まれる。画像データの他、メモリ１０９には、撮像部１０６から得られた動画像データや、第１表示部１１１（第一の表示部）の表示面に表示されるアイコン等の画像データも格納される。
また、メモリ１０９は、画像表示用のメモリ（ビデオメモリ）を兼ねている。Ｄ／Ａ変換器１１０は、メモリ１０９に格納されている画像データをアナログ信号に変換して背面の第１表示部１１１に送信する。第１表示部１１１においては、アナログ信号に基づいて画像が表示される。
【００１１】
第１表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、第１表示部１１１に逐次転送して表示することでライブビュー画像を表示する。
不揮発性メモリ１１４は、電気的に消去・記録可能なメモリであり、例えばＥＥＰＲＯ
Ｍ等が用いられる。不揮発性メモリ１１４には、システム制御部１０１の動作用の定数、プログラム等が記憶される。ここでいう、プログラムとは、本実施例にて後述する各種フローチャートを実行するためのプログラムのことである。
【００１２】
システム制御部１０１は、デジタルカメラ１００全体を制御するプロセッサを有する。システム制御部１０１は、前述した不揮発性メモリ１１４に記録されたプログラムを実行することで、後述する本実施例の各処理を実現する。システムメモリ１１３には、システム制御部１０１の動作用の定数、変数、不揮発性メモリ１１４から読み出したプログラム等が展開される。システムメモリ１１３には、例えばＲＡＭ（Ramdom Access Memory）が用いられる。
なお、システム制御部１０１はメモリ１０９、Ｄ／Ａ変換器１１０、第１表示部１１１等を制御することにより表示制御も行う。システムタイマー１１２は、各種制御に用いる時間や、内蔵された時計の時間を計測する計時部である。
【００１３】
シャッタースイッチ１１５、モード切り換えダイヤル１１８、電源ボタン１１９は、システム制御部１０１に各種の動作指示を入力するための操作手段である。
モード切り換えダイヤル１１８は、システム制御部１０１の動作モードを静止画記録モード、動画記録モード、再生モード等のいずれかに切り換える切換操作を行う際に用いられる。静止画記録モードに含まれるモードとしては、オート撮影モード、オートシーン判別モード、マニュアルモード、撮影シーン別の撮影設定となる各種シーンモード、プログラムＡＥモード、カスタムモード等がある。モード切り換えダイヤル１１８で静止画撮影モードに含まれるこれらのモードのいずれかに直接切り換えられる。あるいは、モード切り換えダイヤル１１８で静止画撮影モードに一旦切り換えた後に、他の操作部材を用いて、静止画撮影モードに含まれるこれらのモードのいずれかに切り換えるようにしてもよい。また、動画撮影モードにも複数のモードが含まれてもよい。
【００１４】
第１シャッタースイッチ１１６は、デジタルカメラ１００に設けられたシャッタースイッチ１１５の操作途中、いわゆる半押し（撮影準備指示）でＯＮとなり第１シャッタースイッチ信号ＳＷ１が発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作が開始される。
第２シャッタースイッチ１１７は、シャッタースイッチ１１５の操作完了、いわゆる全押し（撮影指示）でＯＮとなり、第２シャッタースイッチ信号ＳＷ２が発生する。システム制御部１０１は、第２シャッタースイッチ信号ＳＷ２により、撮像部１０６からの信号読み出しから記録媒体１２４に画像データを書き込むまでの一連の撮影処理の動作を開始する。
【００１５】
電源制御部１２１は、電池検出回路、ＤＣ−ＤＣコンバータ、通電するブロックを切り換えるスイッチ回路等により構成され、電源ボタン１１９の状態、電池の装着の有無、電池の種類、電池残量の検出を行う。また、電源制御部１２１は、その検出結果及びシステム制御部１０１の指示に基づいてＤＣ−ＤＣコンバータを制御し、必要な電圧を必要な期間、記録媒体１２４を含む各部へ供給する。
電源部１２２は、アルカリ電池やリチウム電池等の一次電池やＮｉＣｄ電池やＮｉＭＨ電池、Ｌｉ電池等の二次電池、ＡＣアダプター等からなる。本実施例では電源部１２２（以下電池と呼ぶ）に二次電池を用いた場合の説明を行う。
記録媒体Ｉ／Ｆ１２３は、メモリカードやハードディスク等の記録媒体１２４とのインターフェースである。記録媒体１２４は、撮影された画像を記録するためのメモリカード等の記録媒体であり、半導体メモリや磁気ディスク等から構成される。
外部機器Ｉ／Ｆ１２５は、無線または有線ケーブルによって外部機器１２６と接続し、映像信号や音声信号の送受信を行う。外部機器Ｉ／Ｆ１２５は無線ＬＡＮ（Ｌｏｃａｌ 
Ａｒｅａ Ｎｅｔｗｏｒｋ）やインターネットとも接続可能である。外部機器Ｉ／Ｆ１２
５は撮像部１０６で撮像した画像（スルー画像を含む）や、記録媒体１２４に記録された画像を送信可能であり、また、外部機器１２６から画像データやその他の各種情報を受信することができる。
【００１６】
アクセサリーシュー１２７（接続手段）は、外部アクセサリの装着を機械的、電気的に行い、外付け電子ビューファインダ１２８（表示機器）や外付けストロボなどが利用可能になる。メモリ１０９に格納されている画像表示用のデータ映像信号はアクセサリーシュー１２７を通して外付け電子ビューファインダ１２８に送信され、Ｄ／Ａコンバータ１２９を介して第２表示部１３０（第二の表示部）に表示することができる。
外付け電子ビューファインダ１２８には接眼センサ１３１が備えられており顔の接近を検出することができる。システム制御部１０１は、顔の接近を検出した場合にユーザが外付け電子ファインダを覗いていると判断し、画像の表示先を外付け電子ビューファインダ１２８に自動で切り換える。また、外付け電子ビューファインダ１２８には表示先切り換えボタン１３２も備えられており、ユーザは表示先を手動で切り換えることもできる。なお、外付け電子ビューファインダ１２８は、接眼センサ１３１又は表示先切り換えボタン１３２のいずれか一つのみを備えてもよい。
【００１７】
操作部１２０の各操作部材は、第１表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、図２に示すＭＥＮＵボタン２０１が押されると各種の設定可能なメニュー画面が第１表示部１１１に表示される。
ユーザは、第１表示部１１１に表示されたメニュー画面と、図２に示される上下左右の４方向にボタンを備えた十字ボタン２０２やＳＥＴボタン２０３とを用いて直感的に各種設定を行うことができる。なお、ＳＥＴボタン２０３はＦＵＮＣ（ファンクション）ボタンを兼ねており、撮影待機中にＦＵＮＣボタンが押されると撮影に関する設定画面をライブビュー表示に重畳させて第１表示部１１１又は第２表示部１３０に表示することができる。ＦＵＮＣとは、複数の設定項目の中からユーザが所望とする設定項目を変更するためのモードである。
タッチパネル１２０ａは、第１表示部１１１に設けられ、ユーザによるタッチ操作を検出する。タッチパネル１２０ａを用いても十字ボタン２０２やＳＥＴボタン２０３と同様に各種設定を行うことができる。
【００１８】
図２のコントローラホイール２０４は、操作部１２０に含まれる回転操作可能な操作部材であり、方向ボタンと共に選択項目を指示する際などに使用される。コントローラホイール２０４を回転操作すると、操作量に応じて電気的なパルス信号が発生し、このパルス信号に基づいてシステム制御部１０１はデジタルカメラ１００の各部を制御する。このパルス信号によって、コントローラホイール２０４が回転操作された角度や、何回転したかなどを判定することができる。なお、コントローラホイール２０４は、回転操作が検出できる操作部材であればどのようなものでもよい。例えば、ユーザの回転操作に応じてコントローラホイール２０４自体が回転してパルス信号を発生するダイヤル操作部材であってもよい。また、タッチセンサよりなる操作部材で、コントローラホイール２０４自体は回転せず、コントローラホイール２０４上でのユーザの指の回転動作などを検出するものであってもよい（いわゆる、タッチホイール）。
図２の情報表示切り換えボタン２０５は、第１表示部１１１又は第２表示部１３０に表示される複数の情報表示モードを切り換えるためのボタンである。
【００１９】
図２に示すように、デジタルカメラ１００の底面からは、電源部１２２と記録媒体１２４をデジタルカメラ１００に挿入でき、開閉可能なカバー２０６で蓋をすることができる
。さらに、側面には外部機器と有線接続するためのコネクタ２０７が取付可能である。
なお、本実施例の説明には、外付け電子ビューファインダを用いているが、カメラ本体に内蔵された電子ビューファインダであってもかまわない。
【００２０】
操作部１２０には、第１表示部１１１に対する接触を検知可能なタッチパネル１２０ａが含まれる。タッチパネル１２０ａと第１表示部１１１とは一体的に構成することができる。タッチパネル１２０ａにおける入力座標と、第１表示部１１１上の表示座標とが対応付けられている。これにより、恰もユーザが第１表示部１１１上に表示された画面を直接的に操作可能であるかのようなＧＵＩ（グラフィカルユーザーインターフェース）を構成することができる。
【００２１】
システム制御部１０１は、タッチパネル１２０ａへの以下の（１）〜（５）の操作、あるいは状態を検出できる。
（１）タッチパネルにタッチしていなかった指やペンが新たにタッチパネルにタッチする。すなわち、タッチを開始する（以下、タッチダウン（Touch-Down）という）。
（２）タッチパネルを指やペンでタッチしたまま移動する（以下、タッチムーブ（Touch-Move）という）。
（３）タッチパネルへタッチしていた指やペンを離す。すなわち、タッチを終了する（以下、タッチアップ（Touch-Up）という）。
（４）タッチパネルを指やペンでタッチしている状態とする（以下、タッチオン（Touch-On）という）。
（５）タッチパネルに何もタッチしていない状態とする（以下、タッチオフ（Touch-Off
）という）。
なお、タッチダウンは、タッチパネル１２０ａにタッチを開始した動作を示すのに対し、タッチオンは、タッチパネル１２０ａにタッチしている状態を示す。また、タッチアップは、タッチパネル１２０ａから指やペンを離した動作を示すのに対し、タッチオフは、タッチパネル１２０ａにタッチしていない状態を示す。
【００２２】
また、タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。また、タッチオンが検出されていても、タッチ位置が移動していなければタッチムーブは検出されない。また、タッチしていた全ての指やペンがタッチアップしたことが検出された後は、タッチオフとなる。
これらの操作・状態や、タッチパネル上に指やペンがタッチしている位置座標は内部バスを通じてシステム制御部１０１に通知され、システム制御部１０１は通知された情報に基づいてタッチパネル上にどのような操作が行なわれたかを判定する。
例えば、システム制御部１０１は、タッチムーブについてはタッチパネル上で移動する指やペンの移動方向についても、位置座標の変化に基づいて、タッチパネル上の垂直成分・水平成分毎に判定できる。
【００２３】
また、タッチパネル１２０ａ上をタッチダウンから一定のタッチムーブを経てタッチアップをしたとき、ストロークを描いたこととする。素早くストロークを描く操作をフリックと呼ぶ。フリックは、タッチパネル１２０ａ上に指をタッチしたままある程度の距離だけ素早く動かして、そのまま離すといった操作である。すなわち、フリックはタッチパネル１２０ａ上を指ではじくように素早くなぞる操作である。
また、システム制御部１０１は、所定距離以上を、所定速度以上でタッチムーブしたことが検出され、そのままタッチアップが検出された場合にフリックが行なわれたと判定する。また、システム制御部１０１は、所定距離以上を、所定速度未満でタッチムーブしたことが検出された場合にドラッグが行なわれたと判定する。
また、タッチパネル１２０ａ上の複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００２４】
なお、タッチパネル１２０ａは、抵抗膜方式や静電容量方式、表面弾性波方式、赤外線方式、電磁誘導方式、画像認識方式、光センサ方式等、様々な種類のタッチパネルのうちいずれを用いても良い。タッチパネルの種類によって、タッチパネルに対する接触があったことでタッチがあったと検出する方式や、タッチパネルに対する指やペンの接近があったことでタッチがあったと検出する方式があるが、いずれの方式でもよい。
【００２５】
上述したシステム制御部１０１は、ユーザから表示先を切り替える指示を受け付けた場合に、画像が表示されている第１表示部１１１を黒表示の状態としてから、第１表示部１１１と異なる第２表示部１３０に画像の表示先を切り替える。そして、システム制御部１０１は、表示先が切り替えられた後にタッチパネルをオフとする。
具体的には、システム制御部１０１は、次に説明する受付手段、切り替え手段及び制御手段としての処理を行う。
システム制御部１０１は、受付手段として、背面液晶パネル（ＬＣＤ）の第１表示部１１１から、電子ビューファインダ（ＥＶＦ）の第２表示部１３０に画像の表示先を切り替える指示を受け付ける。以下では、画像の表示先が背面液晶パネルの場合をＬＣＤモードといい、画像の表示先が電子ビューファインダの場合をＥＶＦモードという。
また、システム制御部１０１は、第１表示部１１１が表示中で、タッチパネル１２０ａがオンの状態（第１の状態）で上記指示を受け付けると、制御手段としてタッチパネル１２０ａをオンにしたまま、表示先を切り替える処理を開始する。さらに、システム制御部１０１は、切り替える処理の開始後に、切り替え手段として、タッチパネル１２０ａをオンからオフに切り替える。これにより、表示先を切り替える際の時間を短縮するとともに、使用電力を低減することができる。
また、システム制御部１０１は、第２表示部１３０が表示されている際に、タッチパネル１２０ａへのタッチ操作に応じて処理（所定の処理）を行うか否かの設定（所定の設定）を受け付ける設定手段としても機能する。そして、システム制御部１０１は、設定がされている場合には、タッチパネル１２０ａをオフにする制御を行わないようにする。
また、システム制御部１０１は、第１の状態において表示先を切り替える指示を受け付けると、第１表示部１１１に表示されていた項目を非表示にした後、第２表示部１３０へと項目を表示するように制御する。このとき、システム制御部１０１は、第１表示部１１１に黒色の表示をするように制御してもよい。
また、システム制御部１０１は、タッチパネル１２０ａがオフに切り替えられる場合には、タッチパネル１２０ａがオフ状態になるまでにタッチ操作がされた場合でも、タッチ操作に応じた処理を実行しないように制御してもよい。これにより、誤操作を抑制することができる。
また、システム制御部１０１は、第１表示部１１１から第２表示部１３０へと表示が切り替わった後、第１表示部１１１の電源がオフになるように制御してもよい。これにより、使用電力を軽減することができる。
また、第２表示部１３０は、撮影された画像をファインダに表示するファインダ内表示部であってもよい。
【００２６】
また、システム制御部１０１は、以下で説明する処理を行ってもよい。
タッチパネル１２０ａが、タッチ操作を受け付け可能な状態であり、第１表示部１１１に所定のアイテムが表示される第一の状態の際に、システム制御部１０１は、第２表示部１３０へと画像の表示先を切り替える指示を受け付けるものとする。第一の状態においては、例えば、第１表示部１１１にライブビュー画像が表示される。このような場合には、
システム制御部１０１は、所定の操作モードの場合でも、所定の操作モードでない場合にも、タッチパネル１２０ａへのタッチ操作を受け付け可能な状態をオフとしないように制御する。所定の操作モードは、第２表示部１３０の表示中にタッチパネル１２０ａがタッチ操作に応じた処理を受け付けるモードであり、黒自走モードも所定の操作モードに該当する。なお、所定の操作モードが設定されない場合、システム制御部１０１は、第２表示部１３０の表示中にタッチパネル１２０ａへのタッチ操作を受け付けない。
さらに、システム制御部１０１は、第１表示部１１１に所定のアイテムが表示されない第二の状態にしてから第２表示部１３０へと表示を切替えるように制御する。第二の状態においては、例えば、第１表示部１１１に黒色の画像が表示される。これにより、所定の操作モードが設定されているか否かに関わらず、表示先を切り替える際のユーザの操作性を向上させることができるという効果が得られる。
以下では、システム制御部１０１の処理に関する具体例を挙げて説明する。
【００２７】
（表示先の切替処理の流れ）
図３は、画像の表示先の切替処理の流れの例を示す図である。システム制御部１０１は、所定のプログラムをシステムメモリ１１３に展開して実行することで、以下の各処理を行う。システム制御部１０１の具体的な処理手順について図３を用いて説明する。
ステップＳ３０１でシステム制御部１０１は、第１表示部１１１（図３ではＬＣＤと表記）にライブビュー画像を表示する。
ステップＳ３０２でシステム制御部１０１は、第１表示部１１１から第２表示部１３０（図３ではＥＶＦと表記）に画像の表示先を切り替える指示を受け付けたか否かを判定し、指示を受付けた場合、ステップＳ３０３の処理に移行する。例えば、システム制御部１０１は、接眼センサ１３１により顔の接近が検知された場合や、表示先切り替えボタン１３２が押下された場合などに表示を切り替える指示を受け付けたと判定する。一方、表示先を切り替える指示を受付けなかった場合、ステップＳ３２０の処理に移行する。
ステップＳ３０３でシステム制御部１０１は、第１表示部１１１から第２表示部１３０に表示先を切り替えるか否かを判定し、切り替える場合、ステップＳ３０４の処理に移行する。一方で、第２表示部１３０から第１表示部１１１に表示先を切り替える場合、ステップＳ３１０の処理に移行する。
ステップＳ３０４でシステム制御部１０１は、第１表示部１１１（ＬＣＤ）をオン状態から黒自走モードに切り替える。オン状態とは、第１表示部１１１にライブビュー画像が表示されている状態を示す。オン状態から黒自走モードに切り替えることにより、第１表示部１１１には何も表示されないが、タッチパネル１２０ａではタッチを検出可能な状態となる。なお、黒自走モードに切り替える処理の流れに関しては後述する。
ステップＳ３０５でシステム制御部１０１は、ライブビュー画像の表示先を第２表示部１３０に切り替える。したがって、第１表示部１１１がオフ状態（又はスリープ状態）となる後述のステップＳ３０８の処理よりも前に第２表示部１３０にライブビュー画像が表示されることになる。
なお、撮影モード以外に再生モードとメニューモードがあるが、再生モードであった場合は、ステップＳ３０４が終了していた時点で、システム制御部１０１は第１表示部１１１に表示されていた画像を第２表示部１３０に表示してもよい。
【００２８】
ステップＳ３０６でシステム制御部１０１は、タッチパッド設定が有効であるか否かを判定する。タッチパッド設定とはＥＶＦへの表示がされている場合に、タッチパネル１２０ａがタッチ操作を受け付けるか否かの設定を示しており、後述するようにタッチパッド設定は適宜変更することができる。タッチパッド設定を有効とした場合、第１表示部１１１から第２表示部１３０に切り替える際、第１表示部１１１は黒表示の状態となり何も表示されないが、タッチパネル１２０ａはタッチ操作を受け付け可能な状態となる。タッチパッド設定を有効とすることで例えば、第２表示部１３０を覗いた状態で、タッチパネル１２０ａ上でタッチムーブすることにより、第２表示部１３０に表示されているＡＦ枠等
のアイテムを選択して、移動させることができる。また、第２表示部１３０にメニュー画面や選択可能な項目が表示されている場合には、タッチムーブによりカーソルを移動させて所望の項目を選択することもできる。このように、タッチパッド設定を有効とした場合、ユーザは第２表示部１３０を覗いた状態でタッチパネル１２０ａをタッチ操作することにより、様々な指示をすることができる。なお、システム制御部１０１は、ＡＦ枠の移動以外に、タッチパネル１２０ａにおいて絞り値、シャッタースピード等のそれ以外の設定を受け付けてもよい。
【００２９】
ステップＳ３０６でタッチパッド設定が有効の場合、ステップＳ３０７の処理に移行する。一方で、タッチパッド設定が無効の場合、ステップＳ３０８の処理に移行する。なお、タッチパッド設定が無効の場合であっても、ユーザは十字ボタン２０２及びＳＥＴボタン２０３を用いてＡＦ枠の移動等の操作を行うことができる。
ステップＳ３０７でシステム制御部１０１は、撮影モードであるか否かを判定する。撮影モードであった場合、撮影が可能な状態となり、ステップＳ３０２に戻る。撮影モード以外のモードであった場合は、ステップＳ３０８の処理に移行する。撮影モード以外に再生モード、メニューモード等のモードがあり、再生のモードの場合、操作が比較的簡易でタッチパネル１２０ａを用いる必要がないため、ＬＣＤをオフ状態にするステップＳ３０８の処理が行われる。一方で、メニューモードの場合、多数の設定項目の中から１の設定項目を選択する等のように操作が比較的複雑であるのでステップＳ３０７でＹｅｓと判定し、タッチパネル１２０ａを用いられるようにしてもよい。
なお、再生モードであってもタッチパネル１２０ａを用いて操作する場合には、システム制御部１０１はステップＳ３０７でＹｅｓと判定してもよい。
【００３０】
ステップＳ３０８でシステム制御部１０１は、第１表示部１１１及びタッチパネル１２０ａをオフ状態に切り替える。ここでオフ状態とは、電源の供給を停止した状態（停止状態）である。また、オフ状態に切り替えることにより黒自走モードよりも電力の消費を低減することができる。ステップＳ３０８の処理の詳細に関しては後述する。
以上のようにタッチパッド設定が無効な場合において、ステップＳ３０８の処理が完了する前であっても、ステップＳ３０５で第２表示部１３０にライブビュー画像が表示されるようになる。
【００３１】
なお、ステップＳ３０４で黒自走モードに切り替えられた後でも、ステップＳ３０８の処理が完了するまではタッチパネル１２０ａは起動している状態である。システム制御部１０１はタッチパッド設定が無効となっている場合、タッチパネル１２０ａに対するタッチ操作を無効としてもよい。これにより、タッチパネル１２０ａの誤操作を抑制することができる。
【００３２】
また、ステップＳ３０２で第１表示部１１１から第２表示部１３０に画像の表示先を切り替える指示を受け付けなかった場合、ステップＳ３２０に移行する。
ステップＳ３２０でシステム制御部１０１は、タッチパッド設定を行う指示があったか否かを判定し、指示があった場合、ステップＳ３２１の処理に移行し、ユーザの操作に応じてタッチパッド設定のオン、オフを切り替える。一方で、タッチパッド設定を行う指示がなかった場合、ステップＳ３２２の処理に移行する。
ステップＳ３２２でシステム制御部１０１は、モード変更を行う指示があったか否かを判定し、指示があった場合、ステップＳ３２３の処理に移行し、指定されたモードに変更する。例えば、再生モード、メニューモード、撮影モードがあり、いずれかのモードを指定することができる。
ステップＳ３２４でシステム制御部１０１は、電源をオフにする指示があったか否かを判定し、指示があった場合、図３の処理を終了させる。一方で、電源をオフにする指示がなかった場合、ステップＳ３０２に戻る。
【００３３】
また、ステップＳ３０３において、第２表示部１３０から第１表示部１１１に表示先を切り替える場合、ステップＳ３１０の処理に移行する。ステップＳ３１０でシステム制御部１０１は、第２表示部１３０の表示をオフとし、ステップＳ３１１で第１表示部１１１の表示をオンとする。これにより、画像の表示先が第２表示部１３０から第１表示部１１１に切り替えられる。
ステップＳ３１２でシステム制御部１０１は、タッチパネル１２０ａがオン状態であるか否かを判定し、タッチパッド設定が有効である場合などタッチパネル１２０ａがオン状態の場合、ステップＳ３０２の処理に戻る。一方で、タッチパネル１２０ａがオフ状態の場合、ステップＳ３１３に移行し、タッチパネル１２０ａをオン状態に切り替えてからステップＳ３０２の処理に戻る。
【００３４】
図４は、ＬＣＤを黒自走モードに切り替える処理の流れの例を示す図である。図４の処理は、図３のステップＳ３０４の処理に対応する。
ステップＳ４０１でシステム制御部１０１は、第１表示部１１１を黒表示に切り替える。黒表示に切り替えることで第１表示部１１１が消灯したように見え、画像の表示先が切り替わったことをユーザに認識させることができる。また、黒表示に切り替えることで第１表示部１１１からの光が第２表示部１３０に入射しないようにすることができる。なお、第１表示部１１１に黒色の画像を表示する場合に限定されず、他の色の画像を表示してもよい。
ステップＳ４０２でシステム制御部１０１は、第１表示部１１１のバックライト（不図示）をオフにする。これにより、電力消費を低減することができる。
ステップＳ４０３でシステム制御部１０１は、タッチパネル１２０ａを一旦、オフ状態に切り替える。ステップＳ４０３でタッチパネル１２０ａをオフ状態とするのは、黒自走モードに切り替える準備を行うためである。
【００３５】
ステップＳ４０４でシステム制御部１０１は、第１表示部１１１の内部状態を黒自走モードに切り替える。
ステップＳ４０５でシステム制御部１０１は、映像信号データの送信を停止する。
ステップＳ４０６でシステム制御部１０１は、映像信号クロックを停止させる。ステップＳ４０５及びＳ４０６により第１表示部１１１へ映像信号が入力されないようになる。
ステップＳ４０７でシステム制御部１０１は、タッチパネル１２０ａを再びオン状態へ切り替える。これにより、タッチパネル１２０ａがタッチ操作を検出できるようになり、タッチパネル１２０ａがタッチパッドとして機能するようになる。なお、ステップＳ４０７でタッチパネル１２０ａを再びオン状態へ切り替えることを説明したが、タッチパッド設定が無効（黒自走モードが無効）の場合はオフ状態のままとしてもよい。
なお、図４の黒自走切替処理において各処理の間に発生するウェイト時間は、合計で２４ｍｓ程度と比較的短い。
【００３６】
図５は、ＬＣＤをオフ状態に切り替える処理の流れの例を示す図である。図５の処理は、図３のステップＳ３０８の処理に対応する。
ステップＳ５０１でシステム制御部１０１は、タッチパネル１２０ａをオフ状態へ切り替える。これにより、タッチパネル１２０ａはタッチ操作を検出しない状態となる。
ステップＳ５０２でシステム制御部１０１は、第１表示部１１１をスリープ状態へ切り替える。ここでスリープ状態とは、電源をオフして第１表示部１１１を停止するための準備が完了した状態であり、黒自走モード時よりも消費電力が小さい状態である。
ステップＳ５０３でシステム制御部１０１は、第１表示部１１１への電力の供給を停止し、第１表示部１１１を停止状態とする。
ステップＳ５０４でシステム制御部１０１は、第１表示部１１１のリセットを行う。これにより第１表示部１１１がオフ状態となる。第１表示部をオフ状態とすることで黒自走
モード時よりも消費電力を小さくすることができる。
【００３７】
また、図５のフローでは、各処理の間に合計で７７ｍｓ程度の比較的長いウェイト時間が発生する。これは、特にステップＳ５０１及びＳ５０２間、Ｓ５０２及びＳ５０３間において処理が互いに干渉しないようにするためである。
【００３８】
（効果）
デジタルカメラに外付けの電子ビューファインダを取り付けた場合等のように、電子ビューファインダ（ＥＶＦ）かデジタルカメラの背面のＬＣＤのいずれか一方にしかライブビュー画像を表示することができない場合がある。したがって、ＥＶＦ、ＬＣＤのいずれかに表示を切り替える場合に、一方の表示を停止してから他方へと表示を切り替える必要がある。そのため、従来ではＬＣＤからＥＶＦに表示先を切り替える場合は、ＬＣＤへの電源供給を停止するための終了処理が行われた後に、表示先をＥＶＦに切り替える処理が開始される。終了処理にはＬＣＤを停止する処理の他、ＬＣＤに設けられているタッチパネルを停止する処理等の複数の処理が含まれ、各処理が互いに干渉しないようにするためのウェイト時間が各処理間において発生する。したがって、表示先が切り替えられるまでに時間がかかる。
しかしながら、本実施例においては終了処理が完了する前（タッチパネルはオンの状態）に表示先を切り替えるため、従来よりも早くＥＶＦへ切り替えることができる。すなわち、本実施例ではＬＣＤの終了処理を挟まずにＥＶＦにライブビュー画像を表示させる。これにより、本実施例では表示先の切り替えを高速化し、ユーザの操作性を向上することができる。
【００３９】
具体例を用いて本実施例の効果を説明する。図６Ａ〜図６Ｅは、本実施例及び従来例における表示の様子を示すものである。図６Ａは、ＬＣＤにライブビュー画像が表示されているものであり、図６Ｂは黒自走モード（ＬＣＤはオフになっていないがライブビュー画像が表示されていない、タッチパネルはオン）の状態を示している。図６Ｂにおいては、ＬＣＤ及びタッチパネルが共にオンの状態であるが、外観上はＬＣＤがオフになったように見える。さらに、図６Ｃは、ＥＶＦへとＬＶ画像が表示されている様子を示しており、内部的に終了処理が進行している状態である。そして、図６Ｄは、ＬＣＤがオフ（電源供給が停止された）の状態を示している。したがって、ＬＣＤからＥＶＦへと表示が切り替わる場合には、図６Ａから図６Ｂを経由し、図６Ｃのように表示が切り替わる。また、図６Ｃの状態で内部的に終了処理が行われ、図６ＤでＬＣＤがオフとなる。したがって、図６Ｃの時点でＥＶＦに表示が切り替わることになる。
一方で、従来技術では、図６Ａの後、図６Ｅのように終了処理（ＬＣＤ、タッチパネルが共にオフの状態）を行い、終了処理が完了した後にＥＶＦにライブビュー画像が表示されて図６Ｄの状態に移行する。
【００４０】
以上で説明したように、本実施例においては、上述したようにタッチパッド設定が有効であるか否かにかかわらず、ＬＣＤを一旦黒自走モードに移行させた後に電子ビューファインダに表示を切り替える。この時点で、ユーザは電子ビューファインダを用いて撮影を行うことが可能となる。そして、表示を切り替えた後にＬＣＤをオフ状態にする処理を行う。すなわち、ユーザはＬＣＤをオフ状態にする処理が完了するのを待たずに電子ビューファインダによる撮影を開始することができる。
【００４１】
また、タッチパッド設定が無効に設定されている場合、電子ビューファインダに表示が切り替わった後、ＬＣＤをオフ状態に移行させるため、タッチパッド設定が有効に設定されている場合と比較して消費電力を抑えることができる。
上記実施例においては、第１表示部１１１を最終的に停止状態とする旨を説明したが、これに限定されず、第１表示部１１１を最終的にスリープ状態としてもよい。これにより
、第１表示部に再度表示を切り替える際、オフ状態とした場合よりも切り替え時間を短くすることができる。
【００４２】
上記実施例においては、黒自走モード時は、第１表示部に黒色の画像を表示することを説明したが、他の色の画像であってもよい。また、上記実施例においては、第２表示部１３０が外付け型の電子ビューファインダであるものとして説明したが、デジタルカメラ１００は内蔵型の電子ビューファインダを有してもよい。
なお、システム制御部１０１が行うものとして説明した上述の各種制御は、１つのハードウェアが行ってもよいし、複数のハードウェアが処理を分担することで、装置全体の制御を行ってもよい。
また、本発明をその好適な実施例に基づいて詳述してきたが、本発明はこれら特定の実施例に限られるものではなく、この実施例の要旨を逸脱しない範囲の様々な実施例も本発明に含まれる。
また、上述した実施例においては、本発明に係る電子機器をデジタルカメラに適用した場合を例にして説明したが、この例に限定されず複数の画面で表示を切り替える機能を有する装置であれば適用可能である。すなわち、本実施例は、パーソナルコンピュータやＰＤＡ、携帯電話端末や携帯型の画像ビューワ、ディスプレイを備えるプリンタ装置、デジタルフォトフレーム、音楽プレーヤーなどにも適用可能である。さらに、ゲーム機、電子ブックリーダー、タブレット端末、スマートフォン、投影装置、ディスプレイを備える家電装置や車載装置などにも適用可能である。
【００４３】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４４】
１００：デジタルカメラ、１０１：システム制御部、１１１：第１表示部、１２０ａ：タッチパネル、１３０：第２表示部、１３１：接眼センサ
【図１】
2019054368.tif 000003
【図２】
2019054368.tif 000004
【図３】
2019054368.tif 000005
【図４】
2019054368.tif 000006
【図５】
2019054368.tif 000007
【図６】
2019054368.tif 000008